(57)【要約】【課題】繰り返して使用できるうえ、人体の所望の箇所に直接接触させることができ、しかも、使用に際して違和感のない新規な機能性衣類を提供する。【解決手段】ゲルマニウム、セラミック、トルマリン、磁石等の機能性粉末を含有したプリント剤２が、下着やＴシャツ等の衣類１の裏面１１にプリントされてなり、そのプリント部３が皮膚に接触されるようにしている。【選択図】図１
0003116692.tif 000002
【実用新案登録請求の範囲】
【請求項１】
ゲルマニウム、セラミック、トルマリン、磁石等の機能性粉末を含有したプリント剤が、下着やＴシャツ等の衣類の裏面にプリントされてなり、そのプリント部が皮膚に接触されるようにしたことを特徴とする機能性衣類。
【請求項２】
請求項１において、
プリント部は、人体のツボに対応する箇所にプリントされたことを特徴とする請求項１記載の機能性衣類。
【請求項３】
請求項１又は２の何れかにおいて、
プリント剤には、所望の顔料を添加したことを特徴とする請求項１記載の機能性衣類。
【考案の詳細な説明】
【技術分野】
【０００１】
本考案は、ゲルマニウム、セラミック、トルマリン等の機能性粉末を含有したプリント剤が、下着やＴシャツ等にプリントされた機能性衣類に関する。
【背景技術】
【０００２】
従来、粘着性シ−ト基材の接着面に永久磁石を設け、この永久磁石を人体のツボなどに直接接触させ、その磁気作用によって、肩こりや腰痛などを緩和せんとする磁気治療具があった（例えば、特許文献１）。
【０００３】
また、近年では、ゲルマニウム、セラミック、トルマリン、磁石等の機能性物質（以下、「機能性物質」と省略する。）にも、肩こり、腰痛、或いは、体調を整えるなど、様々な効能があるものとして注目されつつあり、これら機能性物質を、ネックレスやブレスレットの裏面の一部に固着し、この機能性物質が使用者の皮膚に直接接触されるようにした治療具も開発されている（例えば、特許文献２）。
【特許文献１】特開平１１−２９０４６５
【特許文献１】特開２００３−１１６６１３号
【考案の開示】
【考案が解決しようとする課題】
【０００４】
しかしながら、前者の磁気治療具では、接着面が入浴時などに剥がれてしまうため、これを繰り返して使用できないという問題がある。
【０００５】
一方、後者の治療具では、繰り返して使用することができるが、ネックレスやブレスレットの裏面の一部に機能性物質が固着されているため、前記機能性物質が皮膚に直接接触し難く、また、接触される部分が首や手首の一部に限定されてしまうという問題があった。
【０００６】
更に、両者の何れにおいても、機能性物質として、永久磁石又はトルマリン等の原石をそのまま使用しているため、これらが皮膚に接触したときに違和感があるという問題もある。
【０００７】
本考案者は、かかる課題を解決することを目的として鋭意創作した結果、繰り返して使用できるうえ、人体の所望の箇所に直接接触させることができ、しかも、使用に際して違和感のない新規な機能性衣類を提供するものである。
【課題を解決するための手段】
【０００８】
上記目的を達成するため、
請求項１に係る機能性衣類は、ゲルマニウム、セラミック、トルマリン、磁石等の機能性粉末を含有したプリント剤が、下着やＴシャツ等の衣類の裏面にプリントされてなり、そのプリント部が皮膚に接触されるようにしたことを特徴とする。
【０００９】
請求項２に係る機能性衣類は、請求項１において、プリント部は、人体のツボに対応する箇所にプリントされたことを特徴とする。
【００１０】
請求項３に係る機能性衣類は、請求項１又は２の何れかにおいて、プリント剤には、所望の顔料を添加したことを特徴とする。
【考案の効果】
【００１１】
請求項１に係る機能性衣類によれば、衣類の裏面に機能性粉末を含有したプリント剤をプリントしているので、従来の治療具のように一々取付ける必要がなく、普段通りに衣類を着用するだけで、プリント部を皮膚に直接接触させて、機能性粉末の効能を効率良く得ることができ、しかも違和感も解消できる。
【００１２】
また、衣類の裏面に機能性粉末を含有したプリント剤をプリントしているので、これを繰り返し着用しても、プリント部を同じ箇所に直接接触されるので、前記効果を簡単且つ確実に繰り返し得ることができる。、
請求項２に係る機能性衣類によれば、プリント部は、人体のツボに対応する箇所にプリントされているので、請求項１の効果を更に効率良く得ることができる。
【００１３】
請求項３に係る機能性衣類によれば、所望の顔料を添加しているので、所望の色、柄をプリントすることができ、請求項１、２の効果を得ることができるうえ、衣類のデザイン性も高めることができる。
【考案を実施するための最良の形態】
【００１４】
以下、本考案の実施例を図面に基づき説明する、なお、本実施例は、例示に過ぎず、これに限定されるものではない。
【実施例１】
【００１５】
図１は、本考案に係る機能性衣類Ａの一実施例を示した使用状態図であり、（ａ）は、衣類を正面から見た状態の使用図であり、（ｂ）は、（ａ）の一部を破断して、衣類の裏面を示した状態の使用図である。図２は、本考案に係る機能性衣類Ａの他の実施例を示した使用状態図である。
【００１６】
なお、図１、図２において、共通する部位には、同一の番号を付し、重複した説明は省略する。
【００１７】
この機能性衣料Ａは、下着やＴシャツ等の衣類１の裏面１１に、ゲルマニウム、セラミック、トルマリン、磁石等の機能性粉末（以下、「機能性粉末」と省略する。）を含有したプリント剤２が、所望の模様にプリントされてなり、この衣類１を使用者が通常通りに着用すれば、プリント部３が使用者の皮膚に接触されるようにしたことを特徴とする。
【００１８】
本実施例では、衣類１としてＴシャツを例示したが、皮膚に直接接触される衣類１であれば良く、図２（ａ）に示したパンツ、同図（ｂ）に示した靴下などは勿論、ブラジャー、ストッキング、ステテコ、帽子、手袋なども含まれる。
【００１９】
前記機能性粉末の大きさは、限定されず、プリント剤２として安全に使用される大きさ、素材のであれば良い。
【００２０】
プリント剤２には、衣類１の素材に応じた糊等のバインダーを含有しており、このプリント剤２をスクリーン印刷、手書き等、既存のプリント手段によって、衣類１の裏面１１に所望の模様、文字、これらの組み合わせなどがプリントされ、プリント部３を形成する。
【００２１】
このプリント部３は、人体のツボに対応する箇所にプリントされることが望ましく、本実施例では、人体の肩や腰のツボに対応される箇所に点模様を点在させてプリントされたプリント部３を例示しているが、これに限られず、例えば、頭部、首、腹部、腕、肘や膝、足の裏など、あらゆる人体のツボにプリント部３を設けることができる。なお、極端に言えば、人体のツボを表示した図柄を、そのままプリント部３としてプリントしても構わない。
【００２２】
また、機能性粉末の効能の一つとして、保温効果や運動バランスを整える効果も認められているので、例えば、スキー、スケートなどのインナーウェアの裏面１１、又は、水着の裏面１１にプリント部３を形成したり、更には、サッカー、野球等のあらゆるスポーツウェアの裏面１１にプリント部３を形成することも可能である。
【００２３】
また、プリント剤２には、所望の顔料を添加しても良く、これによって、プリント部３を所望の色に着色することができるため、豊富な色、柄のデザインを形成することができる。
【００２４】
このような本考案に係る機能性衣類Ａによれば、衣類１の裏面１１に機能性粉末を含有したプリント剤２をプリントしているので、そのプリント部３が使用者の皮膚に直接接触することができ、機能性粉末の効能を効率良く得ることができる。
【００２５】
また、機能性粉末を含有したプリント剤２を使用しているので、同じ重量の前記機能性物質を使用する場合に比べて、機能性粉末を広範囲にプリントすることができるので、広範囲に亘って機能性粉末の効能を付与できるだけでなく、大幅なコストダウンを図ることもできる。
【００２６】
しかも、日常生活における衣類１を今まで通り着用するだけで、肩こり、腰痛などの機能性粉末の効能が得られるので、従来の治療具のように、これを一々着脱する手間も省けるうえ、違和感も解消できる。
【００２７】
また、プリント部３は、人体のツボに対応する、あらゆる箇所にプリントすることができるので、機能性粉末の効能を一層高めることができる。
【００２８】
更にまた、プリント剤に所望の顔料を添加すれば、所望の色、柄、文字、これらの組み合わせをプリントすることができ、機能性粉末の効能を得られるうえ、そのデザイン性も高めることができる。
【図面の簡単な説明】
【００２９】
【図１】本考案に係る機能性衣類Ａの一実施例を示した使用状態図であり、（ａ）は、衣類を正面から見た状態の使用図であり、（ｂ）は、（ａ）の一部を破断して、衣類の裏面を示した状態の使用図である。
【図２】本考案に係る機能性衣類Ａの他の実施例を示した使用状態図であり、（ａ）は、パンツにプリント部が形成された使用図であり、（ｂ）は、靴下にプリント部が形成された使用図を各々示している。
【符号の説明】
【００３０】
Ａ      機能性衣類具
１      衣類
１１    裏面
２      プリント剤
３      プリント部
【図１】
0003116692.tif 000003
【図２】
0003116692.tif 000004